(57)【要約】【課題】サブフレーム種別毎のチャネル品質指標をユーザ端末がピコ基地局に定期的にフィードバックする場合でも、物理上り共有チャネルのスループット性能が低下しない無線通信装置及び無線通信プログラムを提供する。【解決手段】ヘテロジニアス・ネットワークにおいて、無線通信装置６００は、無線端末をグループ化するグループ化部６５０と、無線リソースの割合が所定閾値以上である場合、第１種サブフレームの送信タイミングで測定されたチャネル品質指標をフィードバックするよう、第1グループに属する無線端末に対して指標割当情報を生成し、且つ、第２種サブフレームの送信タイミングで測定されたチャネル品質指標をフィードバックするよう、第２グループに属する無線端末に対して指標割当情報を生成するチャネル品質フィードバック用無線リソース割当部６６０と、を備える。【選択図】図３
2012253486.tif 000002
【特許請求の範囲】
【請求項１】
データ送信が制限されていない第１種サブフレームと、データ送信が制限されている第２種サブフレームとを、互いに排他する送信タイミングで送信するマクロ基地局と、前記第１種サブフレーム及び前記第２種サブフレームから干渉を受ける下りチャネルを有する非マクロ基地局と、を備えるヘテロジニアス・ネットワークにおいて、
前記非マクロ基地局の上りチャネルの所定単位の全ての無線リソースに対する、前記下りチャネルのチャネル品質指標以外の共用チャネルデータが割り当てられる前記上りチャネルの無線リソースの割合を算出する割合算出部と、
前記割合が所定閾値以上である場合、前記第１種サブフレームが送信されているタイミングに測定された前記チャネル品質指標を送信する第１グループと、前記第２種サブフレームが送信されているタイミングに測定された前記チャネル品質指標を送信する第２グループと、に前記無線端末をグループ化するグループ化部と、
前記割合が前記所定閾値以上である場合、前記第１種サブフレームの送信タイミングで測定された前記チャネル品質指標をフィードバックするよう、前記第1グループに属する無線端末に対して指標割当情報を生成し、且つ、前記第２種サブフレームの送信タイミングで測定された前記チャネル品質指標をフィードバックするよう、前記第２グループに属する無線端末に対して指標割当情報を生成するチャネル品質フィードバック用無線リソース割当部と、
前記チャネル品質フィードバック用無線リソース割当部が生成した前記指標割当情報を、前記非マクロ基地局と通信する無線端末に送信する下りチャネル情報割当部と、
を備えることを特徴とする無線通信装置。
【請求項２】
前記グループ化部は、前記第１種サブフレーム及び前記第２種サブフレームの所定単位の全てのサブフレーム数と、前記第２種サブフレームのサブフレーム数との比に応じて、前記無線端末をグループ化することを特徴とする請求項１に記載の無線通信装置。
【請求項３】
前記グループ化部は、前記下りチャネルの受信強度又は信号対干渉雑音電力比に基づいて、前記無線端末をグループ化することを特徴とする請求項１又は請求項２に記載の無線通信装置。
【請求項４】
データ送信が制限されていない第１種サブフレームと、データ送信が制限されている第２種サブフレームとを、互いに排他する送信タイミングで送信するマクロ基地局と、前記第１種サブフレーム及び前記第２種サブフレームから干渉を受ける下りチャネルを有する非マクロ基地局と、を備えるヘテロジニアス・ネットワークにおける無線通信装置のコンピュータに、
前記非マクロ基地局の上りチャネルの所定単位の全ての無線リソースに対する、前記下りチャネルのチャネル品質指標以外の共用チャネルデータが割り当てられる前記上りチャネルの無線リソースの割合を算出する手順と、
前記割合が所定閾値以上である場合、前記第１種サブフレームが送信されているタイミングに測定された前記チャネル品質指標を送信する第１グループと、前記第２種サブフレームが送信されているタイミングに測定された前記チャネル品質指標を送信する第２グループと、に前記無線端末をグループ化する手順と、
前記割合が所定閾値以上である場合、前記第１種サブフレームの送信タイミングで測定された前記チャネル品質指標をフィードバックするよう、前記第1グループに属する無線端末に対して指標割当情報を生成し、且つ、前記第２種サブフレームの送信タイミングで測定された前記チャネル品質指標をフィードバックするよう、前記第２グループに属する無線端末に対して指標割当情報を生成する手順と、
生成した前記指標割当情報を、前記非マクロ基地局と通信する無線端末に送信する手順と、
を実行させるための無線通信プログラム。
【発明の詳細な説明】
【技術分野】
【０００１】
本発明は、無線通信装置及び無線通信プログラムに関する。
【背景技術】
【０００２】
近年、ローカルエリアにおける無線通信の品質を改善するとともに、マクロエリアにおける無線通信のトラヒックをオフロードするため、マクロ基地局及びピコ基地局などから構成される、ヘテロジニアス・ネットワークが注目されている。ヘテロジニアス・ネットワークでは、ピコ基地局からユーザ端末への希望波が、マクロ基地局が送信した干渉波から干渉を受けることがある。
【０００３】
また、３ＧＰＰ（３ｒｄ Ｇｅｎｅｒａｔｉｏｎ Ｐａｒｔｎｅｒｓｈｉｐ Ｐｒｏｊｅｃｔ）  ＬＴＥ（Ｌｏｎｇ Ｔｅｒｍ Ｅｖｏｌｕｔｉｏｎ） Ｒｅｌ−１０では、ピコ基地局からユーザ端末（Ｕｓｅｒ Ｅｑｕｉｐｍｅｎｔ，ＵＥ）に送信される物理下り制御チャネル（Ｐｈｙｓｉｃａｌ Ｄｏｗｎｌｉｎｋ Ｃｏｎｔｒｏｌ ＣＨａｎｎｅｌ、ＰＤＣＣＨ）への干渉を回避させるため、Ｔｉｍｅ Ｄｏｍａｉｎ−Ｉｎｔｅｒ Ｃｅｌｌ Ｉｎｔｅｒｆｅｒｅｎｃｅ Ｃｏｏｒｄｉｎａｔｉｏｎ(ＴＤ−ＩＣＩＣ)  が検討されている。
【０００４】
ヘテロジニアス・ネットワークにＴＤ−ＩＣＩＣが適用される場合、物理下り共有チャネル（Ｐｈｙｓｉｃａｌ Ｄｏｗｎｌｉｎｋ Ｓｈａｒｅｄ Ｃｈａｎｎｅｌ，ＰＤＳＣＨ）、及び物理上り共有チャネル（Ｐｈｙｓｉｃａｌ Ｕｐｌｉｎｋ Ｓｈａｒｅｄ Ｃｈａｎｎｅｌ，ＰＵＳＣＨ）の送信可能タイミングは、オールモスト・ブランク・サブフレーム（Ａｌｍｏｓｔ Ｂｌａｎｋ Ｓｕｂｆｒａｍｅ、ＡＢＳ）により制限されることが可能である。また、ピコ基地局のユーザ端末は、チャネル品質指標（Ｃｈａｎｎｌｅ Ｑｕａｌｉｔｙ Ｉｎｄｉｃａｔｏｒ，ＣＱＩ）を、サブフレーム種別（ノーマル・サブフレーム、ＡＢＳ）毎に測定することが可能である。
【先行技術文献】
【特許文献】
【０００５】
【特許文献１】特開２０１１−１５０２３号公報
【非特許文献】
【０００６】
【非特許文献１】3GPP, TS 36.211 V9.1.0, “Evolved Universal Terrestrial Radio Access (E-UTRA); Physical Channels and Modulation (Release 9),” March 2010.
【非特許文献２】3GPP, TS 36.213 V9.1.0, “Evolved Universal Terrestrial Radio Access (E-UTRA); Physical layer procedures (Release 9),” March 2010.
【発明の概要】
【発明が解決しようとする課題】
【０００７】
しかしながら、チャネル品質指標をユーザ端末がピコ基地局に定期的にフィードバックする場合（Ｐｅｒｉｏｄｉｃ  ＣＱＩ）、ユーザ端末は、物理上りチャネルの無線リソースを使用して、チャネル品質指標をピコ基地局にフィードバックする。このため、サブフレーム種別毎のチャネル品質指標をユーザ端末が単にフィードバックした場合、チャネル品質指標をフィードバックするための無線リソース量が多くなることで、フィードバックチャネルと周波数軸上で多重化される物理上り共有チャネルのスループット性能が低下してしまうという問題がある。
【０００８】
本発明は、前記の点に鑑みてなされたものであり、サブフレーム種別毎のチャネル品質指標をユーザ端末がピコ基地局に定期的にフィードバックする場合でも、物理上り共有チャネルのスループット性能が低下しない無線通信装置及び無線通信プログラムを提供することを目的とする。
【課題を解決するための手段】
【０００９】
本発明は、上記の課題を解決するためになされたものであり、データ送信が制限されていない第１種サブフレームと、データ送信が制限されている第２種サブフレームとを、互いに排他する送信タイミングで送信するマクロ基地局と、前記第１種サブフレーム及び前記第２種サブフレームから干渉を受ける下りチャネルを有する非マクロ基地局と、を備えるヘテロジニアス・ネットワークにおいて、前記非マクロ基地局の上りチャネルの所定単位の全ての無線リソースに対する、前記下りチャネルのチャネル品質指標以外の共用チャネルデータが割り当てられる前記上りチャネルの無線リソースの割合を算出する割合算出部と、前記割合が所定閾値以上である場合、前記第１種サブフレームが送信されているタイミングに測定された前記チャネル品質指標を送信する第１グループと、前記第２種サブフレームが送信されているタイミングに測定された前記チャネル品質指標を送信する第２グループと、に前記無線端末をグループ化するグループ化部と、前記割合が前記所定閾値以上である場合、前記第１種サブフレームの送信タイミングで測定された前記チャネル品質指標をフィードバックするよう、前記第1グループに属する無線端末に対して指標割当情報を生成し、且つ、前記第２種サブフレームの送信タイミングで測定された前記チャネル品質指標をフィードバックするよう、前記第２グループに属する無線端末に対して指標割当情報を生成するチャネル品質フィードバック用無線リソース割当部と、前記チャネル品質フィードバック用無線リソース割当部が生成した前記指標割当情報を、前記非マクロ基地局と通信する無線端末に送信する下りチャネル情報割当部と、を備えることを特徴とする無線通信装置である。
【００１０】
また、本発明は、前記グループ化部が、前記第１種サブフレーム及び前記第２種サブフレームの所定単位の全てのサブフレーム数と、前記第２種サブフレームのサブフレーム数との比に応じて、前記無線端末をグループ化することを特徴とする無線通信装置である。
【００１１】
また、本発明は、前記グループ化部が、前記下りチャネルの受信強度又は信号対干渉雑音電力比に基づいて、前記無線端末をグループ化することを特徴とする無線通信装置である。
【００１２】
また、本発明は、データ送信が制限されていない第１種サブフレームと、データ送信が制限されている第２種サブフレームとを、互いに排他する送信タイミングで送信するマクロ基地局と、前記第１種サブフレーム及び前記第２種サブフレームから干渉を受ける下りチャネルを有する非マクロ基地局と、を備えるヘテロジニアス・ネットワークにおける無線通信装置のコンピュータに、前記非マクロ基地局の上りチャネルの所定単位の全ての無線リソースに対する、前記下りチャネルのチャネル品質指標以外の共用チャネルデータが割り当てられる前記上りチャネルの無線リソースの割合を算出する手順と、前記割合が所定閾値以上である場合、前記第１種サブフレームが送信されているタイミングに測定された前記チャネル品質指標を送信する第１グループと、前記第２種サブフレームが送信されているタイミングに測定された前記チャネル品質指標を送信する第２グループと、に前記無線端末をグループ化する手順と、前記割合が所定閾値以上である場合、前記第１種サブフレームの送信タイミングで測定された前記チャネル品質指標をフィードバックするよう、前記第1グループに属する無線端末に対して指標割当情報を生成し、且つ、前記第２種サブフレームの送信タイミングで測定された前記チャネル品質指標をフィードバックするよう、前記第２グループに属する無線端末に対して指標割当情報を生成する手順と、生成した前記指標割当情報を、前記非マクロ基地局と通信する無線端末に送信する手順と、を実行させるための無線通信プログラムである。
【発明の効果】
【００１３】
本発明によれば、無線端末は、無線リソースの割合に基づいてグループ化され、第１種サブフレームの送信タイミングで測定されたチャネル品質指標を、第1グループに属する無線端末がフィードバックし、第２種サブフレームの送信タイミングで測定されたチャネル品質指標を、第２グループに属する無線端末がフィードバックする。したがって、無線リソースの割合に応じてグループ化された無線端末から、グループ毎に制御されたレポート数のチャネル品質指標がフィードバックされる。これにより、無線通信装置は、ユーザ端末がピコ基地局にサブフレーム種別毎のチャネル品質指標を定期的にフィードバックする場合でも、物理上り共有チャネルのスループット性能が低下しないようにすることができる。
【図面の簡単な説明】
【００１４】
【図１】本発明の一実施形態における、ヘテロジニアス・ネットワークの例を表す図である。
【図２】本発明の一実施形態における、データ送信が制限されるＡＢＳの例を表す図である。
【図３】本発明の一実施形態における、無線通信装置の構成例を表す図である。
【発明を実施するための形態】
【００１５】
本発明の一実施形態について図面を参照して詳細に説明する。図１には、ヘテロジニアス・ネットワークの例が表されている。無線通信システムは、マクロ基地局１００と、ピコ基地局３００と、ＣＲＥ端末５００（ユーザ端末）とを備える。
【００１６】
マクロ基地局１００は、マクロセル２００を形成し、マクロセル２００内に在る無線端末（不図示）と無線通信を実行する。
【００１７】
ピコ基地局３００は、マクロセル２００内にピコセル４００を形成する。さらに、ピコ基地局３００は、セルレンジ拡張（Ｃｅｌｌ  Ｒａｎｇｅ Ｅｘｐａｎｓｉｏｎ，ＣＲＥ）によりピコセル４００を拡張し、拡張ピコセル４１０を形成する。ピコ基地局３００は、拡張ピコセル４１０内に在るＣＲＥ端末５００と、無線通信を実行する。また、ピコ基地局３００は、ピコセル４００内に在る無線端末（不図示）（以下、「非ＣＲＥ端末」という）と、無線通信を実行する。
【００１８】
ピコセル４００内に在る無線端末では、「ピコ基地局３００からの参照信号（希望波）の受信強度」＞「マクロ基地局１００からの参照信号（干渉波）の受信強度」が成り立つ。ここで、参照信号の受信強度は、例えば、Ｒｅｆｅｒｅｎｃｅ  Ｓｉｇｎａｌ  Ｒｅｃｅｉｖｅｄ  Ｐｏｗｅｒ（ＲＳＲＰ）である。
【００１９】
一方、拡張ピコセル４１０内に在るＣＲＥ端末５００では、セルレンジ拡張により、「ピコ基地局３００からの参照信号（希望波）の受信強度  ＋  ピコ基地局３００のバイアス値」＞「マクロ基地局１００からの参照信号（干渉波）の受信強度  ＋  マクロ基地局１００のバイアス値」が成り立つ。一般的に、ピコ基地局３００のバイアス値、及びマクロ基地局１００のバイアス値は０以上のデシベル（ｄＢ）値であり、ピコ基地局３００のバイアス値＞マクロ基地局１００のバイアス値である。
【００２０】
なお、参照信号の受信強度は、例えば、Ｒｅｆｅｒｅｎｃｅ  Ｓｉｇｎａｌ  Ｒｅｃｅｉｖｅｄ  Ｐｏｗｅｒ  （ＲＳＲＰ）である。
【００２１】
ＣＲＥ端末５００は、ピコ基地局３００から無線サービスが提供される無線端末であり、セルレンジ拡張により拡張された拡張ピコセル４１０内に位置しているとする。ＣＲＥ端末５００は、ピコ基地局３００の上りチャネル及び下りチャネルを介して、ピコ基地局３００と無線通信を実行する。以下、ピコ基地局３００の上りチャネル及び下りチャネル（希望波）は、マクロ基地局１００の上りチャネル及び下りチャネル（干渉波）から干渉を受けるものとして説明を続ける。
【００２２】
図２には、データ送信が制限されるＡＢＳの例が表されている。図２では、一例として、所定単位のサブフレーム数（例えば、４０サブフレーム）において、マクロ基地局１００の上りチャネル及び下りチャネルを介して、データ送信が制限されていないノーマル・サブフレームと、データ送信が制限されているサブフレーム（ＡＢＳ）とが、マクロ基地局１００と他の無線端末（不図示）の間で、互いに排他する送信タイミング（４０サブフレームに対する、ＡＢＳの割合５０［％］）で送信されているものとして説明を続ける。なお、ＡＢＳはデータ送信が制限されているサブフレームであるため、マクロ基地局及び無線端末は、ＡＢＳを用いて通信することができない。
【００２３】
データ送信が制限されていないノーマル・サブフレームのタイミングでは、ピコ基地局３００の上りチャネル及び下りチャネル（希望波）は、マクロ基地局１００の上りチャネル及び下りチャネル（干渉波）から、強い干渉を受ける。一方、データ送信が制限されているＡＢＳのタイミングでは、マクロ基地局１００の上りチャネル及び下りチャネルが存在しなくなるため、ピコ基地局３００の上りチャネル及び下りチャネルは、マクロ基地局１００の上りチャネル及び下りチャネルから干渉を受けない。
【００２４】
そこで、ＣＲＥ端末５００及び非ＣＲＥ端末は、ピコ基地局３００から送信されたフィードバック指示に基づいて、チャネル品質指標（ＣＱＩ）をピコ基地局３００に、サブフレーム種別毎にフィードバックする。ここで、フィードバック指示には、例えば、チャネル品質指標が測定される対象のサブフレーム種別（ノーマル・サブフレーム、ＡＢＳ）と、サブフレーム群においてチャネル品質指標が送信されるサブフレームの位置を示すオフセット値と、チャネル品質指標が送信される送信間隔（送信タイミング）と、ノーマル・サブフレームが送信されているタイミングで測定されたチャネル品質指標をフィードバックするためのサブフレームに含まれるチャネル品質指標のレポート数（０又は１）と、ＡＢＳが送信されているタイミングで測定されたチャネル品質指標をフィードバックするためのサブフレームに含まれるチャネル品質指標のレポート数（０又は１）と、が含まれている。
【００２５】
次に、無線通信装置の構成例を説明する。
図３には、無線通信装置の構成例が表されている。無線通信装置６００は、ピコ基地局３００（図１を参照）に備えられる。無線通信装置６００は、パターン取得部６１０と、端末情報取得部６２０と、上りチャネル情報割当部６３０と、割合算出部６４０と、グループ化部６５０と、チャネル品質フィードバック用無線リソース割当部６６０と、下りチャネル情報割当部６７０とを備える。
【００２６】
各部は、例えば、中央処理装置（Ｃｅｎｔｒａｌ Ｐｒｏｃｅｓｓｉｎｇ Ｕｎｉｔ）及び記憶部（メモリ）を備える。また、各部は、ＡＳＩＣ（Ａｐｐｌｉｃａｔｉｏｎ Ｓｐｅｃｉｆｉｃ Ｉｎｔｅｇｒａｔｅｄ Ｃｉｒｃｕｉｔ）でもよい。
【００２７】
パターン取得部６１０は、４０サブフレーム（図２を参照）におけるＡＢＳの送信タイミングを示す情報（以下、「ＡＢＳパターン情報」という）を、例えば、Ｘ２インタフェースによりマクロ基地局１００（図１を参照）から受信し、受信したＡＢＳパターン情報をグループ化部６５０に転送する。
【００２８】
端末情報取得部６２０は、マクロ基地局１００からの参照信号の受信強度を示す情報と、ピコ基地局３００からの参照信号の受信強度を示す情報とを、ＣＲＥ端末５００（図１を参照）及び非ＣＲＥ端末（不図示）からそれぞれ受信し、受信した各情報を下りチャネル情報割当部６７０に、無線端末に対応付けて転送する。端末情報取得部６２０は、マクロ基地局１００からの受信強度と、ピコ基地局３００からの受信強度との差（以下、「受信強度差」という）を算出し、算出した受信強度差を示す情報を、グループ化部６５０に出力する。
【００２９】
なお、端末情報取得部６２０は、受信強度を示す情報を一部の無線端末から取得することができなかった場合、その無線端末における受信強度を示す情報として、受信強度を示す情報を取得することができた他の無線端末における受信強度の最小値又は最大値を、下りチャネル情報割当部６７０に転送してもよい。
【００３０】
上りチャネル情報割当部６３０は、ピコ基地局３００（図１を参照）の上りチャネル（ＰＵＳＣＨ）を介して送信されるデータを、無線リソースに割り当てる（スケジューリング）。また、上りチャネル情報割当部６３０は、ピコ基地局３００の上りチャネルを介して送信されるデータが割り当てられる無線リソースを示す情報（以下、「上りデータ割当情報」という）を生成し、生成した上りデータ割当情報を割合算出部６４０に出力する。
【００３１】
割合算出部６４０は、ピコ基地局３００の上りチャネルの無線リソースの所定単位の全ブロック数（例えば、４０サブフレーム）に対する、データが割り当てられているリソースブロック数の割合（以下、「リソースブロック割合」という）を、上りデータ割当情報に基づいて算出する。割合算出部６４０は、算出したリソースブロック割合を示す情報を、予め定められた周期又はサブフレーム毎に、グループ化部６５０及びチャネル品質フィードバック用無線リソース割当部６６０に出力する。
【００３２】
ここで、割合算出部６４０は、統計的な手法により、リソースブロック割合を算出する。例えば、リソースブロック割合を示す情報を予め定められた周期で出力する場合、割合算出部６４０は、データが割り当てられているリソースブロックの所定期間毎の平均数（以下、「割合平均値」という）に基づいて、リソースブロック割合を算出する。また、例えば、リソースブロック割合を示す情報をサブフレーム毎に出力する場合、割合算出部６４０は、データが割り当てられているリソースブロック数の移動平均値に基づいて、リソースブロック割合を算出する。
【００３３】
グループ化部６５０は、ピコ基地局３００（図１を参照）から無線サービスが提供される複数の無線端末のグループ化するか否かを、繰り返し判定する。より具体的には、グループ化部６５０は、前回のタイミングでグループ化を実行したか否かに基づいて、今回のタイミングでグループ化を実行するか否かを判定する。ここで、グループ化部６５０は、リソースブロック割合を示す情報が周期的又はサブフレーム毎に入力される場合、今回のタイミングでグループ化を実行するか否かを、リソースブロック割合を示す情報が入力されるタイミングに同期して、リソースブロック割合（割合平均値、又は移動平均値）に基づいて判定する。
【００３４】
グループ化部６５０は、前回のタイミングでグループ化を実行し、且つ、リソースブロック割合が閾値Ａ（例えば、７５［％］）未満である場合、今回のタイミングでグループ化を実行しない（グループ化を解除する）と判定する。一方、グループ化部６５０は、前回のタイミングでグループ化を実行し、且つ、リソースブロック割合が閾値Ａ以上である場合、今回のタイミングでグループ化を実行すると判定する。
【００３５】
また、グループ化部６５０は、前回のタイミングでグループ化を実行せず、且つ、リソースブロック割合が閾値Ｂ（例えば、８０［％］）を超えている場合、今回のタイミングでグループ化を実行すると判定する。一方、グループ化部６５０は、前回のタイミングでグループ化を実行せず、且つ、リソースブロック割合が閾値Ｂ以下である場合、今回のタイミングでグループ化を実行しない（グループ化を解除する）と判定する。ここで、閾値Ａ≦閾値Ｂであるものとする。
【００３６】
グループ化部６５０は、グループ化を実行する場合、ＡＢＳパターン情報と、受信強度差を示す情報とに基づいて、ＣＲＥ端末５００（図１を参照）と非ＣＲＥ端末（不図示）とに、ピコ基地局３００（図１を参照）から無線サービスが提供される複数の無線端末をグループ化する。
【００３７】
より具体的には、グループ化部６５０は、ＡＢＳパターン情報に基づいて、非ＣＲＥ端末にグループ化する無線端末の台数を算出する。例えば、ＡＢＳパターン情報において、４０サブフレーム（図２を参照）のうち、Ｘ個のサブフレームがＡＢＳであると定められているとする。この場合、グループ化部６５０は、非ＣＲＥ端末にグループ化する無線端末の目安数を、サブフレーム数の比（Ｘ／４０）に基づいて、「（ピコ基地局３００から無線サービスが提供される無線端末の総数）×（１−Ｘ／４０）」と算出する。
【００３８】
さらに、グループ化部６５０は、ピコ基地局３００から無線サービスが提供される無線端末を、受信強度差を示す情報に基づいて、受信強度差の順に並べ替える（ソート）。また、グループ化部６５０は、受信強度差が閾値Ｃ（例えば、８［ｄＢ］）以上である無線端末を選択する。
【００３９】
グループ化部６５０は、選択した無線端末の台数が、非ＣＲＥ端末にグループ化する無線端末の目安数以下であるか否かを判定する。選択した無線端末の台数が、非ＣＲＥ端末にグループ化する無線端末の目安数以下である場合、グループ化部６５０は、選択した各無線端末を非ＣＲＥ端末にグループ化し（ノーマル・グループ）、選択していない残りの各無線端末をＣＲＥ端末にグループ化する（ＡＢＳグループ）。
【００４０】
一方、選択した無線端末の台数が、非ＣＲＥ端末にグループ化する無線端末の目安数以下でない場合、グループ化部６５０は、無線端末に送信されるデータを記憶するバッファのキュー長の昇順、又は受信強度差の降順となるよう、選択した各無線端末を並べ替える。また、グループ化部６５０は、並べ替えられた上位の無線端末から、非ＣＲＥ端末にグループ化する目安数の各無線端末を非ＣＲＥ端末にグループ化し（ノーマル・グループ）、選択していない残りの各無線端末をＣＲＥ端末にグループ化する（ＡＢＳグループ）。
【００４１】
このようにして、グループ化部６５０は、グループ化結果を示す情報を無線端末に対応付けて、チャネル品質フィードバック用無線リソース割当部６６０及び下りチャネル情報割当部６７０に出力する。
【００４２】
チャネル品質フィードバック用無線リソース割当部６６０には、リソースブロック割合を示す情報と、グループ化結果を示す情報とが入力される。チャネル品質フィードバック用無線リソース割当部６６０は、ピコ基地局３００の上りチャネルを介して送信されるチャネル品質指標（ＣＱＩ）が割り当てられる無線リソース（例えば、送信間隔、オフセット値、リソースＩＤ）と、チャネル品質指標が測定される対象のサブフレームの種別（ノーマル・サブフレーム、ＡＢＳ）とを示すフィードバック指示（以下、「指標割当情報」という）を、リソースブロック割合を示す情報と、グループ化結果を示す情報とに基づいて生成する。
【００４３】
例えば、グループ化部６５０により無線端末がグループ化されていない場合、チャネル品質フィードバック用無線リソース割当部６６０は、ピコ基地局３００から無線サービスが提供される全ての無線端末が、ノーマル・サブフレーム及びＡＢＳのチャネル品質指標をピコ基地局３００にフィードバックするよう、それら全ての無線端末に対して指標割当情報を生成する。ここで、チャネル品質フィードバック用無線リソース割当部６６０は、指標割当情報として、チャネル品質指標のフィードバック送信間隔と、オフセット値と、リソースＩＤとを、ノーマル・サブフレームのチャネル品質指標、及びＡＢＳのチャネル品質指標のそれぞれについて定める。
【００４４】
一方、グループ化部６５０により無線端末がグループ化されている場合、チャネル品質フィードバック用無線リソース割当部６６０は、グループ化結果を示す情報に基づいて、指標割当情報を生成する。より具体的には、チャネル品質フィードバック用無線リソース割当部６６０は、各非ＣＲＥ端末がノーマル・サブフレームのチャネル品質指標をピコ基地局３００にフィードバックするよう、各非ＣＲＥ端末に対して指標割当情報を生成する。チャネル品質フィードバック用無線リソース割当部６６０は、指標割当情報として、チャネル品質指標のフィードバック送信間隔と、オフセット値と、リソースＩＤとを、ノーマル・サブフレームのチャネル品質指標について定める。また、チャネル品質フィードバック用無線リソース割当部６６０は、各ＣＲＥ端末がＡＢＳのチャネル品質指標をピコ基地局３００にフィードバックするよう、各ＣＲＥ端末に対して指標割当情報を生成する。チャネル品質フィードバック用無線リソース割当部６６０は、指標割当情報として、チャネル品質指標のフィードバック送信間隔と、オフセット値と、リソースＩＤとを、ＡＢＳのチャネル品質指標について定める。
【００４５】
このように、非ＣＲＥ端末は、ノーマル・サブフレームの送信タイミングで測定されたＣＱＩをフィードバックする。また、ＣＲＥ端末は、ＡＢＳの送信タイミングで測定されたＣＱＩをフィードバックする。したがって、無線リソースの割合に応じてグループ化された無線端末から、グループ毎に制御されたレポート数のチャネル品質指標がフィードバックされる。これにより、チャネル品質フィードバック用無線リソース割当部６６０は、物理上り共有チャネルのスループット性能を低下させないようにすることができる。
【００４６】
下りチャネル情報割当部６７０は、参照信号の受信強度を示す情報と、グループ化結果を示す情報と、指標割当情報とに基づいて、ピコ基地局３００の下りチャネルを介して送信されるデータを、無線リソースに割り当てる。ここで、下りチャネル情報割当部６７０は、ピコ基地局３００の下りチャネルを介して送信されるデータが割り当てられる無線リソースを示す、下りデータ割当情報を生成する。下りデータ割当情報には、例えば、変調方式を示す情報が含まれている。
【００４７】
グループ化部６５０により無線端末がグループ化されていない場合、下りチャネル情報割当部６７０は、参照信号の受信強度を示す情報に基づいて、受信強度差を算出する。さらに、下りチャネル情報割当部６７０は、ピコ基地局３００から無線サービスが提供される無線端末のうち、算出した受信強度差が所定閾値Ｅ以上である各無線端末のみを対象に、マクロ基地局１００からノーマル・サブフレームが送信されるタイミングの無線リソースを割り当てるよう、下りデータ割当情報を生成する。また、下りチャネル情報割当部６７０は、ピコ基地局３００から無線サービスが提供される全ての無線端末を対象に、マクロ基地局１００からＡＢＳが送信されるタイミングの無線リソースを割り当てるよう、下りデータ割当情報を生成する。
【００４８】
一方、グループ化部６５０により無線端末がグループ化されている場合、下りチャネル情報割当部６７０は、各非ＣＲＥ端末を対象に、マクロ基地局１００からノーマル・サブフレームが送信されるタイミングの無線リソースを割り当てることで、下りデータ割当情報を生成する。このようにすれば、下りチャネル情報割当部６７０は、非ＣＲＥ端末ではピコ基地局３００からの受信強度が高いので、物理上り共有チャネルのスループット性能が低下しないようにすることができる。
【００４９】
また、下りチャネル情報割当部６７０は、各ＣＲＥ端末を対象に、マクロ基地局１００からＡＢＳが送信されるタイミングの無線リソースを割り当てることで、下りデータ割当情報を生成する。このようにすれば、下りチャネル情報割当部６７０は、ピコ基地局３００からの受信強度が低いＣＲＥ端末５００（図１を参照）でも、物理上り共有チャネルのスループット性能が低下しないようにすることができる。
【００５０】
下りチャネル情報割当部６７０は、下りデータ割当情報を無線通信部（不図示）に出力する。無線通信部は、下りデータ割当情報に基づいて、ＣＲＥ端末５００及び非ＣＲＥ端末と無線通信を実行する。
【００５１】
以上のように、データ送信が制限されていないノーマル・サブフレームと、データ送信が制限されているＡＢＳとを、互いに排他する送信タイミングで送信するマクロ基地局１００と、ノーマル・サブフレーム及びＡＢＳから干渉を受ける下りチャネル（ＰＤＳＣＨ）を有するピコ基地局３００と、を備えるヘテロジニアス・ネットワークにおいて、  無線通信装置６００は、ピコ基地局３００の上りチャネル（ＰＵＳＣＨ）の所定単位（例えば、４０サブフレーム）の全ての無線リソースに対する、前記下りチャネルのチャネル品質指標（ＣＱＩ）以外の共用チャネルデータが割り当てられる前記上りチャネルの無線リソースの割合を算出する割合算出部６４０と、リソースブロック割合が所定閾値（例えば、閾値Ａ）以上である場合、ノーマル・サブフレームが送信されているタイミングに測定されたＣＱＩを送信する第１グループ（非ＣＲＥ端末）と、ＡＢＳが送信されているタイミングに測定されたＣＱＩを送信する第２グループ（ＣＲＥ端末）と、に前記無線端末をグループ化するグループ化部６５０と、リソースブロック割合が前記所定閾値以上である場合、ノーマル・サブフレームの送信タイミングで測定されたＣＱＩをフィードバックするよう、非ＣＲＥ端末に対して指標割当情報を生成し、且つ、ＡＢＳの送信タイミングで測定されたＣＱＩをフィードバックするよう、ＣＲＥ端末に対して指標割当情報を生成するチャネル品質フィードバック用無線リソース割当部６６０と、チャネル品質フィードバック用無線リソース割当部６６０が生成した指標割当情報を、ピコ基地局３００と通信する無線端末に送信する下りチャネル情報割当部６７０と、を備える。
【００５２】
この構成により、無線端末は、リソースブロック割合に基づいてグループ化され、ノーマル・サブフレームの送信タイミングで測定されたＣＱＩのみを非ＣＲＥ端末がフィードバックし、ＡＢＳの送信タイミングで測定されたＣＱＩのみをＣＲＥ端末がフィードバックする。したがって、無線リソースの割合に応じてグループ化された無線端末から、グループ毎に制御されたレポート数のチャネル品質指標がフィードバックされる。これにより、無線通信装置は、ユーザ端末（無線端末）がピコ基地局にサブフレーム種別毎のチャネル品質指標を定期的にフィードバックする場合でも、物理上り共有チャネル（ＰＵＳＣＨ）のスループット性能が低下しないようにすることができる。
【００５３】
また、グループ化部６５０は、ノーマル・サブフレーム及びＡＢＳの所定単位（例えば、４０サブフレーム）の全てのサブフレーム数と、ＡＢＳのサブフレーム数Ｘとの比に応じて、前記無線端末をグループ化する。
この構成により、サブフレーム数の比に応じてグループ化された無線端末から、グループ毎に制御されたレポート数のチャネル品質指標がフィードバックされる。これにより、無線通信装置は、ユーザ端末（無線端末）がピコ基地局にサブフレーム種別毎のチャネル品質指標を定期的にフィードバックする場合でも、物理上り共有チャネル（ＰＵＳＣＨ）のスループット性能が低下しないようにすることができる。
【００５４】
また、グループ化部６５０は、下りチャネルの受信強度（例えば、ＲＳＲＰ）又は信号対干渉雑音電力比（ＳＩＮＲ，ＲＳＲＱ）に基づいて、前記無線端末をグループ化する。
この構成により、下りチャネルの受信強度又は信号対干渉雑音電力比に基づいてグループ化された無線端末から、グループ毎に制御されたレポート数のチャネル品質指標がフィードバックされる。これにより、無線通信装置は、ユーザ端末（無線端末）がピコ基地局にサブフレーム種別毎のチャネル品質指標を定期的にフィードバックする場合でも、物理上り共有チャネル（ＰＵＳＣＨ）のスループット性能が低下しないようにすることができる。
【００５５】
以上、この発明の実施形態について図面を参照して詳述してきたが、具体的な構成はこの実施形態に限られるものではなく、この発明の要旨を逸脱しない範囲の設計等も含まれる。
【００５６】
例えば、参照信号の受信強度は、参照信号の信号対干渉雑音電力比（例えば、Ｓｉｇｎａｌ−ｔｏ−Ｉｎｔｅｒｆｅｒｅｎｃｅ  ａｎｄ  Ｎｏｉｓｅ  ｐｏｗｅｒ  Ｒａｔｉｏ（ＳＩＮＲ），Ｒｅｆｅｒｅｎｃｅ  Ｓｉｇｎａｌ  Ｒｅｃｅｉｖｅｄ  Ｑｕａｌｉｔｙ（ＲＳＲＱ））でもよい。この場合、グループ化部６５０は、信号対干渉雑音電力比の差が閾値Ｆ（例えば、５［ｄＢ］）以上である無線端末を選択してもよい。
【００５７】
また、例えば、一部の非ＣＲＥ端末に送信されるデータを記憶するバッファのキュー長は、ＣＲＥ端末に送信されるデータを記憶するバッファのキュー長（例えば、１［Ｍｂｙｔｅ］）と同じ長さとなるよう、微調整されてもよい。キュー長が微調整された場合、無線通信装置６００は、一部の非ＣＲＥ端末に対して、他の非ＣＲＥ端末と比較して高速にデータを送信することができる。
【符号の説明】
【００５８】
１００…マクロ基地局、２００…マクロセル、３００…ピコ基地局、４００…ピコセル、４１０…拡張ピコセル、５００…ＣＲＥ端末、６００…無線通信装置、６１０…パターン取得部、６２０…端末情報取得部、６３０…上りチャネル情報割当部、６４０…割合算出部、６５０…グループ化部、６６０…チャネル品質フィードバック用無線リソース割当部、６７０…下りチャネル情報割当部
【図１】
2012253486.tif 000003
【図２】
2012253486.tif 000004
【図３】
2012253486.tif 000005